(57)【要約】【課題】本発明は、セパレート型空気調和機の室外機のファン効率向上の観点から、前面グリルの構成を改善し、ファン効率を向上させることを目的としたものである。【解決手段】縦型の圧縮機４、熱交換器３、ファン２とそれらを囲む外箱５を備えた空気調和機の室外機１に於いて、前面グリル７を外箱５の前面側より、前面グリル７の奥行き厚さＣの２倍以上の距離Ｂで離して設置し、前面グリル７を室外機１の前面の殆どを締める面積で設置してある。６は、ファン２を囲むオリフィスであり、８はファン２を駆動するモータである。ファンと外箱５の前面側までの距離がＡである。即ち、ファン２と前面グリル７の距離をＡ＋Ｂとし、Ｂ≧２Ｃとしたものである。【選択図】図１
2006200761.tif 000002
【特許請求の範囲】
【請求項１】
縦型の圧縮機、熱交換器、ファンとそれらを囲む外箱を備えた空気調和機の室外機に於いて、前面グリルを前記外箱の前面側より、前記前面グリルの奥行き厚さの２倍以上の距離で離して設置し、前記前面グリルを室外機の前面の殆どを締める面積で設置してなるセパレート型空気調和機の室外機。
【請求項２】
縦型の圧縮機、熱交換器、ファンとそれらを囲む外箱を備えた空気調和機の室外機に於いて、前面グリルを前記外箱の前面側より、前記前面グリルの奥行き厚さの２倍以上の距離で離して設置し、前記前面グリルを室外機の前面の殆どを締める面積で設置して、且つ、ファンを囲むオリフィスをラッパ状に前記前面グリルの位置の近傍まで伸ばしてなるセパレート型空気調和機の室外機。
【請求項３】
縦型の圧縮機、熱交換器、ファンとそれらを囲む外箱を備えた空気調和機の室外機に於いて、前面グリルを前記外箱の前面側より、前記前面グリルの奥行き厚さの２倍以上の距離で離して設置し、前記前面グリルを室外機の前面の殆どを締める面積で設置して、且つ、ファンを囲むオリフィスをラッパ状に前記前面グリルの位置の近傍まで伸ばして構成し、前記ファンと前記前面グリルの間に、前記ファンのハブ付近にディフュザーを設置してなるセパレート型空気調和機の室外機。
【発明の詳細な説明】
【技術分野】
【０００１】
本発明は、セパレート型空気調和機の室外機の前面グリルの構成に関するもので、特に、セパレート型空気調和機の室外機のファンの効率を高める技術の関するものである。
【背景技術】
【０００２】
セパレート型空気調和機の室外機の構成は、特許文献１に記載されている。図７は、特許文献１に記載された従来のセパレート型空気調和機の室外機の構成を示すものである。
【０００３】
図７に示すように、縦型の圧縮機３２、熱交換器３１、ファン３０とそれらを囲む外箱３３を備えた空気調和機の室外機に於いて、前面グリル３４を外箱の前面側に接して設置してあり、ファン３１と前面グリル３４の間隙は、単に前面グリル３４が撓んでも、ファン３０に当たらない距離Ｈにて、前面グリル３４を配置し、前面グリル３４の前面面積は、ファン３０を覆う範囲であれば良いというものである。そして、単に、外箱３３を樹脂にて製作したものである。
【特許文献１】特開２００１−１５３４００号公報
【発明の開示】
【発明が解決しようとする課題】
【０００４】
しかしながら、上記従来の構成では、セパレート型空気調和機の室外機に於いて、前面グリル３４を外箱３３の前面側に接して設置してあり、ファン３０と前面グリル３４の間隙は、単に前面グリル３４が撓んでも、ファン３０に当たらない距離Ｈにて、前面グリル３４を配置し、前面グリル３４の前面面積は、ファン３０を覆う範囲であれば良いというものであるため、ファン３０の吹き出し流、少ない寸法Ｈを経て、室外機外部に急拡大してしまうので、ファン３０の吹き出し直後の動圧は、回収されず捨てられる為に、ファン３０の静圧特性は低く、その結果、静圧効率は低く、モータ３５の入力を、多く要するものである。
【０００５】
本発明は、前記従来の課題を解決するもので、前面グリルの構成を改善し、ファン効率を向上させたセパレート型空気調和機の室外機を提供することを目的とする。
【課題を解決するための手段】
【０００６】
上記課題を解決する為に本発明は、縦型の圧縮機、熱交換器、ファンとそれらを囲む外箱を備えた空気調和機の室外機に於いて、前面グリルを外箱の前面側より、前面グリルの奥行き厚さの２倍以上の距離で離して設置し、前面グリルを室外機の前面の殆どを締める面積で設置してなるセパレート型空気調和機の室外機を提供してなるものである。
【０００７】
上記構成によって、前面グリルを外箱の前面側より、前面グリルの奥行き厚さの２倍以上の距離で離して設置し、前面グリルを室外機の前面の殆どを締める面積で設置しているので、ファン直後の吹き出し流は、ファンと前面グリルとのこの距離の間で、緩やかに減速するので、その減速分だけファンの動圧が回収されて、ファンの静圧特性は増加し、静圧効率が高くなるので、駆動モータの入力が低減できる。更に、前面グリルを室外機の前面の殆どを締める面積で設置しているので、ファンの吹き出し流が通過する前面グリル面積が大きく、前面グリルの通風抵抗が低くなるので、ファン負荷が減り、結果的に、駆動モータの入力が低減できる。
【発明の効果】
【０００８】
本発明のセパレート型空気調和機の室外機は、縦型の圧縮機、熱交換器、ファンとそれらを囲む外箱を備えた空気調和機の室外機に於いて、前面グリルを外箱の前面側より、前面グリルの奥行き厚さの２倍以上の距離で離して設置し、前面グリルを室外機の前面の殆どを締める面積で設置してなるものである。
【０００９】
この構成によって、前面グリルを外箱の前面側より、前面グリルの奥行き厚さの２倍以上の距離で離して設置し、前面グリルを室外機の前面の殆どを締める面積で設置しているので、ファン直後の吹き出し流は、ファンと前面グリルとのこの距離の間で、緩やかに減速するので、その減速分だけファンの動圧が回収されて、ファンの静圧特性は増加し、静圧効率が高くなるので、駆動モータの入力が低減できる。更に、前面グリルを室外機の前面の殆どを締める面積で設置しているので、ファンの吹き出し流が通過する前面グリル面積が大きく、前面グリルの通風抵抗が低くなるので、ファン負荷が減り、結果的に、駆動モータの入力が低減できる。
【発明を実施するための最良の形態】
【００１０】
第一の本発明は、縦型の圧縮機、熱交換器、ファンとそれらを囲む外箱を備えた空気調和機の室外機に於いて、前面グリルを外箱の前面側より、前面グリルの奥行き厚さの２倍以上の距離で離して設置し、前面グリルを室外機の前面の殆どを締める面積で設置してなるセパレート型空気調和機の室外機を提供してなるものである。
【００１１】
上記構成によって、前面グリルを外箱の前面側より、前面グリルの奥行き厚さの２倍以上の距離で離して設置し、前面グリルを室外機の前面の殆どを締める面積で設置しているので、ファン直後の吹き出し流は、ファンと前面グリルとのこの距離の間で、緩やかに減速するので、その減速分だけファンの動圧が回収されて、ファンの静圧特性は増加し、静圧効率が高くなるので、駆動モータの入力が低減できる。更に、前面グリルを室外機の前面の殆どを締める面積で設置しているので、ファンの吹き出し流が通過する前面グリル面積が大きく、前面グリルの通風抵抗が低くなるので、ファン負荷が減り、結果的に、駆動モータの入力が低減できる。
【００１２】
第二の本発明は、縦型の圧縮機、熱交換器、ファンとそれらを囲む外箱を備えた空気調和機の室外機に於いて、前面グリルを外箱の前面側より、前面グリルの奥行き厚さの２倍以上の距離で離して設置し、前面グリルを室外機の前面の殆どを締める面積で設置して、且つ、ファンを囲むオリフィスをラッパ状に前面グリルの位置の近傍まで伸ばしてなるセパレート型空気調和機の室外機を提供するものである。
【００１３】
上記構成によって、前面グリルを外箱の前面側より、前面グリルの奥行き厚さの２倍以上の距離で離して設置し、前面グリルを室外機の前面の殆どを締める面積で設置して、且つ、ファンを囲むオリフィスをラッパ状に前面グリルの位置の近傍まで伸ばしているので、ファン直後の吹き出し流は、ファンと前面グリルとのこの距離の間で、ラッパ状のオリフィスに沿って、充分緩やかに減速できるので、その減速分だけファンの動圧が回収されて、ファンの静圧特性は増加し、静圧効率が高くなるので、駆動モータの入力が低減できる。更に、前面グリルを室外機の前面の殆どを締める面積で設置しているので、ファンの吹き出し流が通過する前面グリル面積が大きく、前面グリルの通風抵抗が低くなるので、ファン負荷が減り、結果的に、駆動モータの入力が低減できる。
【００１４】
第三の本発明は、縦型の圧縮機、熱交換器、ファンとそれらを囲む外箱を備えた空気調和機の室外機に於いて、前面グリルを外箱の前面側より、前面グリルの奥行き厚さの２倍以上の距離で離して設置し、前面グリルを室外機の前面の殆どを締める面積で設置して、且つ、ファンを囲むオリフィスをラッパ状に前面グリルの位置の近傍まで伸ばして構成し、ファンと前面グリルの間に、ファンのハブ付近にディフュザーを設置してなるセパレート型空気調和機の室外機を提供するものである。
【００１５】
上記構成によって、前面グリルを外箱の前面側より、前面グリルの奥行き厚さの２倍以上の距離で離して設置し、前面グリルを室外機の前面の殆どを締める面積で設置して、且つ、ファンを囲むオリフィスをラッパ状に前面グリルの位置の近傍まで伸ばして設置し、ファンのハブ近傍にディフュザーを設置しているので、ファン直後の吹き出し流は、ファンと前面グリルとのこの距離の間で、ラッパ状のオリフィスとディフュザーに沿って、非常に緩やかに減速できるので、その減速分だけファンの動圧が回収されて、ファンの静圧特性は増加し、静圧効率が高くなるので、駆動モータの入力が低減できる。更に、前面グリルを室外機の前面の殆どを締める面積で設置しているので、ファンの吹き出し流が通過する前面グリル面積が大きく、前面グリルの通風抵抗が低くなるので、ファン負荷が減り、結果的に、駆動モータの入力が低減できる。
【００１６】
（実施の形態１）
本発明の第一の実施の形態を、図１及び図２を用いて説明する。
【００１７】
図１は、本発明の第一の実施の形態におけるセパレート型空気調和機の室外機の横断面図である。図２は、本発明の第一の実施の形態におけるセパレート型空気調和機の室外機の正面図である。
【００１８】
図１及び図２に於いて、縦型の圧縮機４、熱交換器３、ファン２とそれらを囲む外箱５を備えた空気調和機の室外機１に於いて、前面グリル７を外箱５の前面側より、前面グリル７の奥行き厚さＣの２倍以上の距離Ｂで離して設置し、前面グリル７を室外機１の前面の殆どを締める面積で設置してある。６は、ファン２を囲むオリフィスであり、８はファン２を駆動するモータである。ファンと外箱５の前面側までの距離がＡである。
【００１９】
以上のように構成された空気調和機室外機１について、以下にその動作、作用を説明する。
【００２０】
前面グリル７を外箱５の前面側より、前面グリル７の奥行き厚さＣの２倍以上の距離Ｂで離して設置し、前面グリル７を室外機１の前面の殆どを締める面積で設置しているので、ファン直後の吹き出し流Ｖｍ／ｓｅｃは、ファン２と前面グリル７とのこの距離の間（Ａ＋Ｂ）で、緩やかに減速するので、その減速分だけファンの動圧が回収されて、ファンの静圧特性は増加し、静圧効率が高くなるので、駆動モータ８の入力が低減できる。更に、前面グリル７を室外機１の前面の殆どを締める面積で設置しているので、ファンの吹き出し流Ｖｍ／ｓｅｃが通過する前面グリル面積が大きく、前面グリル７の通風抵抗が低くなるので、ファン負荷が減り、結果的に、駆動モータの入力が低減できる。
【００２１】
（実施の形態２）
本発明の第二の実施の形態を、図３及び図４を用いて説明する。
【００２２】
図３は、本発明の第二の実施の形態におけるセパレート型空気調和機の室外機の横断面図である。図４は、本発明の第二の実施の形態におけるセパレート型空気調和機の室外機の正面図である。
【００２３】
図３及び図４において、縦型の圧縮機４、熱交換器３、ファン２とそれらを囲む外箱５を備えた空気調和機の室外機１に於いて、前面グリル７を外箱５の前面側より、前面グリル７の奥行き厚さＣの２倍以上の距離Ｂで離して設置し、前面グリル７を室外機１の前面の殆どを締める面積で設置して、且つ、ファン２を囲むオリフィス１０をラッパ状に前面グリル７の位置の近傍まで伸ばしてセパレート型空気調和機の室外機である。８はファン２を駆動するモータである。ファンと外箱５の前面側までの距離がＡである。
【００２４】
以上の様に構成された空気調和機室外機１について、以下にその動作、作用を説明する。
【００２５】
前面グリル７を外箱５の前面側より、前面グリル７の奥行き厚さＣの２倍以上の距離Ｂで離して設置し、前面グリル７を室外機１の前面の殆どを締める面積で設置して、且つ、ファン２を囲むオリフィス１０をラッパ状に前面グリル７の位置の近傍まで伸ばしているので、ファン２直後の吹き出し流Ｖｍ／ｓｅｃは、ファン２と前面グリル７とのこの距離の間（Ａ＋Ｂ）で、ラッパ状のオリフィス１０に沿って、充分緩やかに減速できるので、その減速分だけファン２の動圧が回収されて、ファン２の静圧特性は増加し、静圧効率が高くなるので、駆動モータ８の入力が低減できる。更に、前面グリル７を室外機１の前面の殆どを締める面積で設置しているので、ファン２の吹き出し流Ｖｍ／ｓｅｃが通過する前面グリル７面積が大きく、前面グリル７の通風抵抗が低くなるので、ファン負荷が減り、結果的に、駆動モータ８の入力が低減できる。
【００２６】
（実施の形態３）
本発明の第三の実施の形態を、図５及び図６を用いて説明する。
【００２７】
図５は、本発明の第三の実施の形態におけるセパレート型空気調和機の室外機の横断面図である。図６は、本発明の第三の実施の形態におけるセパレート型空気調和機の室外機の正面図である。
【００２８】
図５及び図６において、縦型の圧縮機４、熱交換器３、ファン２とそれらを囲む外箱５を備えた空気調和機の室外機１に於いて、前面グリル７を外箱５の前面側より、前面グリル７の奥行き厚さＣの２倍以上の距離Ｂで離して設置し、前面グリル７を室外機１の前面の殆どを締める面積で設置して、且つ、ファン２を囲むオリフィス１０をラッパ状に前面グリル７の位置の近傍まで伸ばして構成し、ファン２と前面グリル７の間に、ファン２のハブ付近にディフュザー１１を設置してなるセパレート型空気調和機の室外機を構成する。８はファン２を駆動するモータである。ファンと外箱５の前面側までの距離がＡである。
【００２９】
以上の様に構成された空気調和機室外機１について、以下にその動作、作用を説明する。
【００３０】
前面グリル７を外箱５の前面側より、前面グリル７の奥行き厚さＣの２倍以上の距離Ｂで離して設置し、前面グリル７を室外機１の前面の殆どを締める面積で設置して、且つ、ファン２を囲むオリフィス１０をラッパ状に前面グリル７の位置の近傍まで伸ばして設置し、ファン２のハブ近傍にディフュザー１１を設置しているので、ファン２直後の吹き出し流Ｖｍ／ｓｅｃは、ファン２と前面グリル７とのこの距離（Ａ＋Ｂ）の間で、ラッパ状のオリフィス１０とディフュザー１１に沿って、非常に緩やかに減速できるので、その減速分だけファン２の動圧が回収されて、ファンの静圧特性は増加し、静圧効率が高くなるので、駆動モータ８の入力が低減できる。更に、前面グリル７を室外機１の前面の殆どを締める面積で設置しているので、ファン２の吹き出し流Ｖｍ／ｓｅｃが通過する前面グリル７の面積が大きく、前面グリル７の通風抵抗が低くなるので、ファン負荷が減り、結果的に、駆動モータ８の入力が低減できる。
【産業上の利用可能性】
【００３１】
以上のように、本発明にかかるセパレート型空気調和機の室外機は、前面グリルを外箱の前面側より、前面グリルの奥行き厚さの２倍以上の距離で離して設置し、前面グリルを室外機の前面の殆どを締める面積で設置しているので、ファン直後の吹き出し流は、ファンと前面グリルとのこの距離の間で、緩やかに減速するので、その減速分だけファンの動圧が回収されて、ファンの静圧特性は増加し、静圧効率が高くなるので、駆動モータの入力が低減でき、更に、前面グリルを室外機の前面の殆どを締める面積で設置しているので、ファンの吹き出し流が通過する前面グリル面積が大きく、前面グリルの通風抵抗が低くなるので、ファン負荷が減り、結果的に、駆動モータの入力が低減できるので、各種の室外機等の用途にも適用できる。
【図面の簡単な説明】
【００３２】
【図１】本発明の実施の形態１に於けるセパレート型空気調和機の室外機の横断面図
【図２】本発明の実施の形態１に於けるセパレート型空気調和機の室外機の正面図
【図３】本発明の実施の形態２に於けるセパレート型空気調和機の室外機の横断面図
【図４】本発明の実施の形態２に於けるセパレート型空気調和機の室外機の正面図
【図５】本発明の実施の形態３に於けるセパレート型空気調和機の室外機の横断面図
【図６】本発明の実施の形態３に於けるセパレート型空気調和機の室外機の正面図
【図７】従来のセパレート型空気調和機の室外機の横断面図
【符号の説明】
【００３３】
１  室外機
２  ファン
３  熱交換器
４  縦型の圧縮機
５  外箱
６  オリフィス
７  前面グリル
８  駆動モータ
１０  オリフィス
１１  ディフュザー
【図１】
2006200761.tif 000003
【図２】
2006200761.tif 000004
【図３】
2006200761.tif 000005
【図４】
2006200761.tif 000006
【図５】
2006200761.tif 000007
【図６】
2006200761.tif 000008
【図７】
2006200761.tif 000009